(57)【特許請求の範囲】
【請求項１】
６４ｋｂ／ｓ単位のタイムスロット内の任意のｍビット（８ｋｂ／ｓ×ｍ：ｍは自然数）中にｍビット×４０フレームのマルチフレームを構成し、このマルチフレームの任意の１フレームのｍビットを付加ビットとし、前記マルチフレームの残りの３９フレームを３フレーム毎に（ｍ×３）ビットから構成されるグループに分割し、この同一グループ中の前記（ｍ×３）ビットのうちの１ビットをフレーム同期ビットとし、前記フレーム同期ビット以外の（ｍ×３−１）ビットを情報伝送用ビットとし、前記（ｍ×３−１）個の情報伝送用ビットには各々（ｍ×３−１）個の異なる情報伝送用ビット番号が前記１３組のグループに共通に付与され、前記ｍビット×４０フレームのマルチフレーム内に同一番号を持つ情報伝送用ビットの集合１３ビットを１つの単位とし、前記ｍビット×４０フレームのマルチフレーム内に（ｍ×３−１）個の前記同一番号を持つ情報伝送用ビットの集合を形成し、前記ｍビット×４０フレームは前記フレーム同期ビットによりマルチフレーム同期を行い、チャネルの伝送速度に応じた数の前記同一番号を持つ情報伝送用ビットの集合でチャネルを構成することを特徴とする時分割多重化装置。
【請求項２】
ｍビット×４０フレームのマルチフレームの同一番号を持つ情報伝送用ビットの集合に対し、複数のチャネルを当該チャネルの伝送速度に応じた数の前記同一番号を持つ情報伝送用ビットの集合を任意に選択してチャネルを構成することにより、前記ｍビット×４０フレームのマルチフレームにおいて異速度のチャネルを混在させて伝送することを特徴とする請求項１記載の時分割多重化装置。
【請求項３】
２．４ｋｂ／ｓ×ｎ（ｎは自然数）の伝送速度を持つデータチャネルに対し、ｍビット×４０フレームのマルチフレームのｎ個の同一番号を持つ情報伝送用ビットの集合を割り当て、当該同一番号を持つ情報伝送用ビットの集合中の（１２×ｎ）ビットをデータに、ｎビットを当該チャネルのデータ通信中を示すステータス信号として割り当て、２．４ｋｂ／ｓ×ｎの伝送速度を持つデータチャネルを構成することを特徴とする請求項１または２記載の時分割多重化装置。
【請求項４】
シグナリング信号を各チャネル毎に多点サンプリングを行い、ｍビット×４０フレームのマルチフレームの同一番号を持つ情報伝送用ビットの集合内の１つまたは複数のビットに割り当て伝送することを特徴とする請求項１または２記載の時分割多重化装置。
【請求項５】
ｍビット×４０フレームのマルチフレーム内またはｍビット×４０フレームのマルチフレーム以外のビットまたはタイムスロットで伝送されるデータチャネルに付随するステータス信号を各チャネル毎に多点サンプリングを行い、ｍビット×４０フレームのマルチフレームの同一番号を持つ情報伝送用ビットの集合内の１つまたは複数のビットに割り当て伝送することを特徴とする請求項１または２記載の時分割多重化装置。
【請求項６】
６４ｋｂ／ｓ単位のタイムスロット中のｍビット×４０フレームのマルチフレーム以外のビットに対して、マルチフレームを組む必要のない８ｋｂ／ｓ×ｉ（ｉは自然数）のデータ信号を割り当てることを特徴とする請求項１記載の時分割多重化装置。
【発明の詳細な説明】
【０００１】
【発明が属する技術分野】
本発明は、時分割多重化装置に関し、特に時分割多重化装置に複数のデータ伝送用通信装置を接続し、低速のデータ信号を高速のデータ信号に多重化して伝送するための時分割多重化装置に関するものである。
【０００２】
【従来の技術】
時分割多重化装置に複数のデータ伝送用通信装置を接続し、低速のデータ信号（０．４ｋｂ／ｓ系）またはシグナリング信号を高速のデータ信号に多重化するビット多重化方法として、ユーザーチャネル内の連続したｉビット（８ｋｂ／ｓ×ｉ：ｉは自然数）のうち、先頭の１ビットをマルチフレーム同期ビットとしてマルチフレームを構成し、マルチフレーム同期ビット以外の（ｉ−１）ビットの領域にデータ信号の伝送容量に応じて連続して割り当てるビット多重化方法が一般的に知られている。
【０００３】
図４は、この種従来のマルチフレームの構成例を示している。図４では、ユーザーチャネル内の連続したｉビット（８ｋｂ／ｓ×ｉ）のうち、先頭の１ビットをマルチフレーム同期ビットとし、Ｘ．５０の２０マルチフレームパターンを適用してマルチフレームを構成している。この２０マルチフレーム内の１ビットは０．４ｋｂ／ｓであり、マルチフレーム同期ビット以外の（ｉ−１）ビット内に信号速度に応じ、必要な信号収容領域を確保する。
【０００４】
図４（ａ）は１９．２ｋｂ／ｓを１チャネル割り当てた例である。１９．２ｋｂ／ｓのデータ信号１チャネルで４８ビットの情報ビット（０，４ｋｂ／ｓ×４８＝１９．２ｋｂ／ｓ）と１ビットのデータ通信中を示すステータスビットが割り当てられている。
【０００５】
図４（ｂ）はシグナリング信号を０．８ｋｂ／ｓでサンプリングし、必要とするビットを割り付けた例であり、８ｋｂ／ｓ×ｉの領域にシグナリング信号を１０チャネル、ＳＩＧ１〜ＳＩＧ１０として割り付けている
また、図４の２０マルチフレーム内の空いている領域には他の伝送速度のデータ信号を割り当てることができる。
【０００６】
【発明が解決しようとする課題】
しかしながら、従来のビット多重化装置では、８ｋｂ／ｓ以下のデータ信号を多重化する場合、特定の１ビットをフレーム同期ビットとして使用しており、例えば、１２８ｋｂ／ｓの２タイムスロット内に１２０ｋｂ／ｓの帯域にマルチフレームを組む必要のない８ｋｂ／ｓ×ｎのデータ信号等で使用されていた場合、８ｋｂ／ｓの帯域は空きビットとなっているが、ここに８ｋｂ／ｓ以下の例えば２．４ｋｂ／ｓ系のデータ信号やシグナリング信号を複数多重化しようとしても、フレーム同期ビットが８ｋｂ／ｓの帯域を占有してしまうため、８ｋｂ／ｓ以下の２．４ｋｂ／ｓ系のデータ信号やシグナリング信号を複数多重化することができない。
【０００７】
この問題を上記従来のビット多重化装置で解決しようとすると、１２８ｋｂ／ｓの２タイムスロット以外に伝送する領域を追加しなければならない。そして高速ディジタル専用回線を使用していた場合には、１ランク上のサービス品目を選択しなければならず、しかも高速ディジタル専用回線の使用料も高額となる不都合がある。
【０００８】
また、上記従来のビット多重化装置では、ビット割り当てに関して特に制限がなく、異速度のデータ信号のマルチフレーム内のビット割り当てが任意のビット番号の任意のマルチフレーム番号の任意のビット数を選択することができ、ここに異速度データを任意に割り付けることで多重化効率を高めているが、自由度が大きすぎるため、回線設定の作業が複雑になるという不都合がある。
【０００９】
本発明は、このような従来の課題を解決するためのものであり、８ｋｂ／ｓ×ｍの帯域内に複数の伝送速度の異なるデータ信号とシグナリング信号やデータチャネルに付随するステータス信号を混在して効率よく多重化できるようした時分割多重化装置を提供することを目的とする。
【００１０】
【課題を解決するための手段】
本発明の時分割多重化装置においては、６４ｋｂ／ｓ単位のタイムスロット内の任意のｍビット（８ｋｂ／ｓ×ｍ：ｍは自然数）中にｍビット×４０フレームのマルチフレームを構成し、このマルチフレームの任意の１フレームのｍビットを付加ビットとし、前記マルチフレームの残りのフレームを３フレーム毎に（ｍ×３）ビットから構成されるグループに分割し、この同一グループ中の前記（ｍ×３）ビットのうちの１ビットをフレーム同期ビットとし、前記フレーム同期ビット以外の（ｍ×３−１）ビットを情報伝送用ビットとし、前記（ｍ×３−１）個の情報伝送用ビットには各々（ｍ×３−１）個の異なる情報伝送用ビット番号が前記１３組のグループに共通に付与され、前記ｍビット×４０フレームのマルチフレーム内に同一番号を持つ情報伝送用ビットの集合１３ビットを１つの単位とし、前記ｍビット×４０フレームのマルチフレーム内に（ｍ×３−１）個の前記同一番号を持つ情報伝送用ビットの集合を形成し、前記ｍビット×４０フレームは前記フレーム同期ビットによりマルチフレーム同期を行い、チャネルの伝送速度に応じた数の前記同一番号を持つ情報伝送用ビットの集合でチャネルを構成することを特徴とする。
【００１１】
これにより、８ｋｂ／ｓ×ｍの帯域内に複数の伝送速度の異なるデータ信号とシグナリング信号やデータチャネルに付随するステータス信号（制御信号）を混在して効率よく多重化することができる。
【００１２】
【発明の実施の形態】
本発明の請求項１の発明は、６４ｋｂ／ｓ単位のタイムスロット内の任意のｍビット（８ｋｂ／ｓ×ｍ：ｍは自然数）中にｍビット×４０フレームのマルチフレームを構成し、このマルチフレームの任意の１フレームのｍビットを付加ビットとし、前記マルチフレームの残りのフレームを３フレーム毎に（ｍ×３）ビットから構成されるグループに分割し、この同一グループ中の前記（ｍ×３）ビットのうちの１ビットをフレーム同期ビットとし、前記フレーム同期ビット以外の（ｍ×３−１）ビットを情報伝送用ビットとし、前記（ｍ×３−１）個の情報伝送用ビットには各々（ｍ×３−１）個の異なる情報伝送用ビット番号が前記１３組のグループに共通に付与され、前記ｍビット×４０フレームのマルチフレーム内に同一番号を持つ情報伝送用ビットの集合１３ビットを１つの単位とし、前記ｍビット×４０フレームのマルチフレーム内に（ｍ×３−１）個の前記同一番号を持つ情報伝送用ビットの集合を形成し、前記ｍビット×４０フレームは前記フレーム同期ビットによりマルチフレーム同期を行い、チャネルの伝送速度に応じた数の前記同一番号を持つ情報伝送用ビットの集合でチャネルを構成するものであり、６４ｋｂ／ｓ単位のタイムスロット内において、２．２ｋｂ／ｓ系データ信号やシグナリング信号等のマルチフレームを構成することが必要となる信号の合計速度により１ビットからｍビットまで任意に選択してマルチフレームを構成することにより、異速度のデータ信号やシグナリング信号等を多重化することができ、マルチフレームとして選択したビット以外のビットに８ｋｂ／ｓ×ｎ等のデータ信号を割り付けることでタイムスロット内を効率的に使用できる。
【００１３】
また、同一番号を持つ情報伝送用ビットの集合をを１つの単位としてデータ信号の伝送速度に応じて割り付けることにより、回線設定の作業が容易になる。
【００１４】
本発明の請求項２の発明においては、ｍビット×４０フレームのマルチフレームの同一番号を持つ情報伝送用ビットの集合に対し、複数のチャネルを当該チャネルの伝送速度に応じた数の前記同一番号を持つ情報伝送用ビットの集合を任意に選択してチャネルを構成することにより、ｍビット×４０フレームのマルチフレームにおいて異速度のチャネルを混在させて伝送することができる。
【００１５】
本発明の請求項３の発明においては、２．４ｋｂ／ｓ×ｎ（ｎは自然数）の伝送速度を持つデータチャネルに対し、ｍビット×４０フレームのマルチフレームのｎ個の同一番号を持つ情報伝送用ビットの集合を割り当て、当該同一番号を持つ情報伝送用ビットの集合中の（１２×ｎ）ビットをデータに、ｎビットを当該チャネルのデータ通信中を示すステータス信号として割り当て、２．４ｋｂ／ｓ×ｎの伝送速度を持つデータチャネルを構成することができる。
【００１６】
本発明の請求項４の発明においては、シグナリング信号を各チャネル毎に多点サンプリングを行い、ｍビット×４０フレームのマルチフレームの同一番号を持つ情報伝送用ビットの集合内の１つまたは複数のビットに割り当て伝送することができる。
【００１７】
本発明の請求項５の発明においては、ｍビット×４０フレームのマルチフレーム内またはｍビット×４０フレームのマルチフレーム以外のビットまたはタイムスロットで伝送されるデータチャネルに付随するステータス信号を各チャネル毎に多点サンプリングを行い、ｍビット×４０フレームのマルチフレームの同一番号を持つ情報伝送用ビットの集合内の１つまたは複数のビットに割り当て伝送することができる。
【００２０】
本発明の請求項６の発明においては、６４ｋｂ／ｓ単位のタイムスロット中のｍビット×４０フレームのマルチフレーム以外のビットに対して、マルチフレームを組む必要のない８ｋｂ／ｓ×ｉ（ｉは自然数）のデータ信号を割り当てることができる。
【００２２】
以下、本発明の実施の形態について、図１〜図３を用いて説明する。
【００２３】
図１は、本発明の一実施の形態におけるマルチフレームの構成例を示す図である。図１において、ユーザー情報チャネルは、使用回線により決定されるタイムスロットＴＳＮｏ．１〜Ｎｏ．ｎを有し、このユーザー情報チャネルの各６４ｋｂ／ｓタイムスロット内は、ビットＮｏ．３〜７の５ビットを選択し、５ビット×４０フレームのマルチフレームを構成している。
【００２４】
マルチフレームＭＦＮｏ．１には５ビットを付加ビットとし、更にマルチフレームＭＦＮｏ．１のビットＮＯ．７に対局警報ビットＡが配置され、この対局警報ビットＡは一方の時分割多重化装置のフレーム同期はずれの警報を他方の時分割多重化装置に伝えるのに使用される。またマルチフレームＭＦＮｏ．１のビット３〜７のリザーブビットＲは、１ビット当たり０．２ｋｂ／ｓの伝送容量を持ち、必要に応じ任意のビット数を使用してデータ信号の伝送やアラーム状態の転送を行うことができる構成になっている。
【００２５】
マルチフレームＭＦＮｏ．２〜Ｎｏ．４０の３９フレームを、図１に示すように、３フレーム毎に（ｍ×３）＝５×３＝１５ビットから構成されるＧ１〜Ｇ１３の１３グループに分割し、この同一グループ中の１５ビットのうち、１ビットをフレーム同期ビットとして割り付けている。図１に示す例では、３フレームから構成されるグループの若い番号のフレームの最終ビットをフレーム同期ビットとして使用する。
【００２６】
上記同一グループ内のフレーム同期ビット以外の（ｍ×３−１）＝１５−１＝１４ビットを情報伝送用ビットとし、この１４個の情報伝送用ビットには各々１４の異なる情報伝送用ビット番号がグループＧ１〜Ｇ１３に共通に付与されている。図１に示す例では、グループＧ１〜Ｇ１３内の情報伝送用ビットにマルチフレームタイムスロット（以下、ＭＴＳと記す）ＭＴＳ１〜ＭＴＳ１４の情報伝送用ビット番号が付与されている。
【００２７】
図１（ａ）に示す５ビット×４０フレームのマルチフレーム内に同一番号を持つ情報伝送用ビットの集合１３ビットを１つの単位とし、これをＭＴＳと称している。従って、図１に示す５ビット×４０フレームのマルチフレーム内には１４個のＭＴＳを形成している。
【００２８】
図１（ａ）に示すマルチフレームは、フレーム同期ビットＦによりマルチフレーム同期を行い、チャネルの伝送速度に応じた数のＭＴＳを選択することでチャネルを構成する。
【００２９】
ＭＴＳは１つ当たり２．４ｋｂ／ｓ＋０．２ｋｂ／ｓの伝送容量を持ち、２．４ｋｂ／ｓ×ｎのデータ信号は任意のｎ個のＭＴＳを伝送速度に応じて選択することにより、２．４ｋｂ／ｓ×ｎのデータ信号と該データ信号の通信中を示すステータス信号を０．２ｋｂ／ｓ×ｎの速度で伝送できるように、ＭＴＳという単位に基づき割り付けることができ、回線設定が容易になる。
【００３０】
図１（ｂ）は９．６ｋｂ／ｓをＭＴＳ１、２、３、４に割り当てた例を示している。
【００３１】
ＭＴＳの割り当ては連続していなくてもよく、ＭＴＳ１、ＭＴＳ４、ＭＴＳ５、ＭＴＳ１４のような割り当てでもよい。図１に示す例では、（ｂ）に示す領域以外は特に使用例を示していないが、同様にデータ信号の伝送速度に応じたＭＴＳ数を選択し、多重伝送することができる。
【００３２】
次に、本発明の実施の形態におけるシグナリング信号及び図１（ａ）のマルチフレーム領域以外で伝送されるデータ信号に付随するステータス信号の多重化例を図２を参照して説明する。
【００３３】
図１（ａ）のマルチフレーム中の１つのＭＴＳは、グループＧ１〜Ｇ１３に各１ビットを持ち、合計１３ビットを持つ。シグナリング信号または図１（ａ）のマルチフレーム領域以外で伝送されるデータ信号に付随するステータス信号は各チャネル毎に多点サンプリングを行い、任意の１つまたは複数のＭＴＳを選択し、１つのＭＴＳ内の１３ビット中の必要なビットを割り当てて伝送する。
【００３４】
図２の例では、シグナリング信号または図１（ａ）マルチフレーム領域以外で伝送されるデータ信号に付随するステータス信号は各チャネル毎に０．６ｋｂ／ｓのサンプリング速度でサンプリングを行い、任意１つのＭＴＳを選択し、各チャネル毎にＭＴＳ内の１３ビット中の３ビットを割り当て、ＳＩＧ１〜ＳＩＧ４として、計４チャネルを伝送する例を示している。
【００３５】
図１に示したタイムスロットＴＳＮｏ．ｋの６４ｋｂ／ｓのタイムスロット中の（ａ）のマルチフレーム以外の領域には、マルチフレームを組む必要のない８ｋｂ／ｓ×ｎのデータ信号を割り付けることもできる。また同様にタイムスロットＴＳＮｏ．ｋの６４ｋｂ／ｓのタイムスロット中の（ａ）のマルチフレーム以外の領域には、任意のビットを選択して本発明によるマルチフレームを構成し、マルチフレームを組むことにより、伝送する必要のある２．４ｋｂ／ｓ系のデータ信号やシグナリング信号等を伝送することも可能である。
【００３６】
図３は、６４ｋｂ／ｓのタイムスロット内に任意の１ビットに本発明によるマルチフレーム構成を適用した例であり、同図（ａ）は、１ビット×４０フレームのマルチフレームを構成している。
【００３７】
このように図３では、６４ｋｂ／ｓのタイムスロット内に１ビットを選択することでマルチフレームを構成しているので、使用可能なＭＴＳ数は（ｍ×３−１）＝２となる。図３の例では、２つのＭＴＳをそれぞれＭＴＳ１、ＭＴＳ２とし、ＭＴＳ１にはシグナリング信号またはデータ信号に付随するステータス信号４チャネルをそれぞれ０．６ｋｂ／ｓの速度でサンプリングを行い、各チャネルは図３（ｃ）に示すようにＭＴＳ１中の３ビットをを選択し、ＳＩＧ１〜ＳＩＧ４として配置する。
【００３８】
また、図３（ｂ）の領域には、マルチフレームを組む必要のない８ｋｂ／ｓ×ｎのデータ信号や本発明によるマルチフレームを構成し、マルチフレームを組むことにより、伝送する必要のある２．４ｋｂ／ｓ系のデータ信号やシグナリング信号等を伝送することも可能である。
【００３９】
上記実施の形態では、計１３ビットのフレーム同期ビットを付加した場合について説明したが、フレーム同期が確実にできる範囲においてフレーム同期ビットを省略することができ、省略したフレーム同期ビットの位置には０．２ｋｂ／ｓ単位のデータを割り付け伝送することもできる。
【００４０】
また、本発明において、データ信号に付随するステータス信号とは、ＩＴＵ−Ｔ勧告のＶシリーズインタフェースＲＳ信号またはＸシリーズインタフェースのＣ信号等のデータ伝送における制御信号を示す。
【００４１】
【発明の効果】
本発明によれば、６４ｋｂ／ｓのタイムスロット内にマルチフレームを組むことを必要とするデータ信号やシグナリング信号の伝送速度の合計速度により任意のビット数を選択してマルチフレームを構成するから、異速度のデータ信号やシグナリング信号を混在して多重化し伝送することができ、６４ｋｂ／ｓタイムスロット内のマルチフレームとして選択したビット以外のビットに８ｋｂ／ｓ×ｎ等のデータ信号を割り付けることでタイムスロット内を効率的に使用することができ、高速ディジタル専用回線等の回線借用費を削減することができる。
【００４２】
また、本発明によれば、従来のビット多重ではできなかった１ビットのみをマルチフレーム化し、データ信号やシグナリング信号等を混在して多重化し伝送することが可能になり、これにより、高速ディジタル専用回線等の回線借用費を削減することができる。
【００４３】
また、本発明によれば、２．４ｋｂ／ｓ系のデータ信号をマルチフレームタイムスロット単位として伝送速度に応じ割り付けることにより、回線設定の作業が簡便になるという効果を有する。
【図面の簡単な説明】
【図１】本発明の実施の形態におけるマルチフレームの構成例を示す図
【図２】本発明の実施の形態におけるシグナリング信号またはデータ信号に付随するステータス信号のフレーム構成例を示す図
【図３】本発明の実施の形態における６４ｋｂ／ｓタイムスロット内の１ビットで４０マルチフレームを構成した場合のフレーム構成例を示す図
【図４】従来のビット多重化方法におけるフレーム構成例を示す図
【符号の説明】
ＴＳ  タイムスロット
ＭＦ  マルチフレーム
Ｇ１〜Ｇ１３  グループ
ＭＴＳ  マルチフレームタイムスロット
Ｆ  フレーム同期ビット
Ａ  対局警報
Ｒ  リザーブビット
【図１】
0003667458.tif 000002
【図２】
0003667458.tif 000003
【図３】
0003667458.tif 000004
【図４】
0003667458.tif 000005